(57)【要約】【課題】  カメラ付携帯電話機において、待受け受信中におけるカメラからの信号に起因する無線部への悪影響を防止し、カメラ撮像画像の表示部における表示画像が、ユーザに対する違和感をなくして視認性を向上させる。【解決手段】  待受け受信中に間欠受信動作をなすようなカメラ付携帯情報端末において、間欠受信動作中の受信スロットの期間の直前に、カメラ８の動作クロック１６を停止し、直後に動作クロック１６の再開をなすように、間欠受信制御部４からのカメラ入力クロック制御信号１４により制御して、その間は動作クロック停止直前の画像データを表示部９へ出力するよう構成する。こうすることにより、待受け動作中において、カメラ８の撮像画像を表示部９に表示した場合でも、ユーザに対して何等違和感を与えることなく、かつ受信感度の劣化を抑止することができる。【選択図】      図１                                                  
2005045563.tif 000002
【特許請求の範囲】
【請求項１】
待受け受信中に間欠受信動作をなすカメラ付携帯情報端末であって、
前記カメラの動作クロックを、前記間欠受信動作中の受信スロットの直前で停止し、その直後で停止解除をなすクロック制御手段と、
前記動作クロックの停止期間は、前記動作クロックの停止により前記カメラからの画像データがなくなる直前の画像データを表示部へ出力する表示制御手段と、
を含むことを特徴する携帯情報端末。
【請求項２】
前記表示制御手段は、前記動作クロックの停止期間は、前記直前の画像データを連続して出力することを特徴とする請求項１記載の携帯情報端末。
【請求項３】
前記動作クロックを生成する発振器を、更に含み、前記クロック制御手段は前記発振器の動作を停止させることを特徴とする請求項１または２記載の携帯情報端末。
【請求項４】
前記カメラは、前記動作クロックの停止期間は画像データの出力を停止するよう構成されていることを特徴とする請求項１〜３いずれか記載の携帯情報端末。
【請求項５】
カメラ付携帯電話機であることを特徴とする請求項１〜４いずれか記載の携帯情報端末。
【発明の詳細な説明】
【技術分野】
【０００１】
本発明は携帯情報端末に関し、特にカメラ付きの携帯電話機において、待受け受信中におけるカメラ制御方式に関するものである。
【背景技術】
【０００２】
携帯性の向上を追求するために小型な電池を使わざるを得ない携帯情報端末の一つである携帯電話機においては、低消費電力を実現するために、待ち受け受信中には間欠受信動作方式が採用されている。通話中やパケット通信中などの、基地局との間で必要な通信プロトコルを行う場合には、無線部や通信処理用ＣＰＵ（制御部）を動作させているが、待ち受け中には、間欠受信モードとなり、主に、受信同期を維持する目的で、１スーパフレーム（７２０ｍｓ：図２参照）中に１回受信動作を行い、それ以外は無線部やＣＰＵをパワーダウンさせる間欠動作として消費電力を削減するようになっている。
【０００３】
ここで、カメラ付携帯電話機の普及がめざましいが、通信機能以外のこのカメラ機能を用いる場合も同様に、無線部やＣＰＵを動作させる必要がないときには、間欠受信動作モードとなる。このカメラはディジタルカメラであって、その動作クロックは数１０ＭＨｚのものが多用されており、カメラから出力される画像データ信号も、それに相当する周波数を有する信号となる。
【０００４】
待ち受け中にカメラを動作させているときに、受信モードになると、既に動作しているカメラからの信号の高周波成分が、カメラ本体や、回路基板の信号配線パターン、画像処理ＩＣなどから輻射されるので、この輻射が無線部に対してノイズ増加を招来し、受信感度の劣化の原因となっている。このような高周波対策として、バイパスコンデンサを用いたり、回路基板上の配線パターンの設計変更や、ＧＮＤ（アース）強化などの対策回路を考慮する必要があり部品点数の増加や回路基板の実装の自由度の低下を招くなどの問題がある。
【０００５】
そこで、間欠受信する待ち受け動作中の受信スロットを含む期間は、カメラの動作クロックを停止制御する技術が提案されている（特許文献１参照）。具体的には、スーパフレーム（７２０ｍｓ）中の受信スロット直後から１フレーム（約３０ｍｓ）の期間だけカメラを、動作クロックにより動作させて、他の期間、すなわち、
スーパフレーム（７２０ｍｓ）−受信スロット（６．６ｍｓ）
−１フレーム（３０ｍｓ）＝６８３．４ｍｓ      ……（１）
の期間は、カメラ動作クロックを停止するというものである。
【０００６】
【特許文献１】特開２００２−２６１８８０号公報（第４頁、図３）
【発明の開示】
【発明が解決しようとする課題】
【０００７】
上述した特許文献１の技術では、上記（１）式で示した様に、スーパフレーム中の受信スロットとその直後の１フレーム期間の約４０ｍｓの間のみ、カメラを動作させて撮像データを出力するものであるから、表示部にこの撮像データを表示すると、視認性が低下してユーザにとって違和感を与えるという問題がある。また、特許文献１の技術では、１スーパフレーム毎に１フレームの撮像データが転送されるので、表示部のフレームレートは１．３９ｆｐｓ程度になると考えられ、動体の撮影時には、これまた視認性が劣ることになる。
【０００８】
本発明の目的は、待ち受け受信中におけるカメラからの信号による無線部への悪影響を防止し得ると共に、カメラ撮像画像の表示部における表示画像が、ユーザに対して違和感を与えることがないカメラ付携帯情報端末を提供することである。
【課題を解決するための手段】
【０００９】
本発明による携帯情報端末は、待受け受信中に間欠受信動作をなすカメラ付携帯情報端末であって、前記カメラの動作クロックを、前記間欠受信動作中の受信スロットの直前で停止し、その直後で停止解除をなすクロック制御手段と、前記動作クロックの停止期間は、前記動作クロックの停止により前記カメラからの画像データがなくなる直前の画像データを表示部へ出力する表示制御手段とを含むことを特徴する。
【００１０】
そして、前記表示制御手段は、前記動作クロックの停止期間は、前記直前の画像データ連続して出力することを特徴する。また、前記動作クロックを生成する発振器を含み、前記クロック制御手段は前記発振器の動作を停止させることを特徴とする。更に、前記カメラは、前記動作クロックの停止期間は画像データの出力停止するよう構成されていることを特徴とする。
【００１１】
本発明の作用を述べる。待受け受信中に間欠受信動作をなすようなカメラ付携帯情報端末において、間欠受信動作中の受信スロットの期間の直前に、カメラの動作クロックを停止し、その直後には停止解除をなすよう制御し、動作クロックの停止期間中は、画像データがなくなる直前の画像データを表示部へ出力するよう構成する。こうすることにより、待受け動作中において、カメラの撮像画像を表示部に表示した場合でも、ユーザに対して何等違和感を与えることなく、かつ受信感度の劣化を抑止することが可能となる。
【発明の効果】
【００１２】
本発明によれば、間欠受信動作中の受信スロットの期間の直前に、カメラの動作クロックを停止し、その直後には停止解除をなすよう制御し、動作クロックの停止期間中は、画像データがなくなる直前の画像データを表示部へ出力するようにしたので、待ち受け動作中にカメラの撮像画像を表示部へ表示した場合にも、ユーザに対して何等違和感を与えることなく、かつ受信感度の劣化を防止できるという効果がある。
【発明を実施するための最良の形態】
【００１３】
以下に図面を参照して本発明の実施の形態について説明する。図１は本発明の一実施の形態のブロック図である。図１を参照すると、ＲＣＲ（Research & Development Center for Radio System）２７に規定されたＴＤＭＡ（Time Division Multiplex Access）方式の携帯電話機が間欠受信を行う際に、装置のパワーダウン制御のタイミングを統括制御する間欠受信制御部４と、間欠受信において、間欠受信制御部４による受信動作時以外は送受信プロトコルを司るメインの制御部であるＣＰＵ１と、送受信用の無線部２と、カメラ８の動作クロック１３と間欠受信制御部４の動作クロックとなるタイマークロック１２とを常に（間欠受信中も）生成する発振器３と、カメラ入力クロック１６により動作するカメラ８と、カメラ８からの各種同期信号１７〜１９及び画像データ２０を入力とするＦＩＦＯバッファ６と、ＦＩＦＯバッファ６のデータを読出し制御して、メモリ５及びＬＣＤ表示部６へ出力する画像処理部７と、画像データ１５を保存するメモリ５と、画像処理部７からの各種同期信号２１〜２３及び画像データ２４を入力として表示するＬＣＤ表示部９とが設けられている。
【００１４】
間欠受信制御部４はタイマークロック１２を基に、ＣＰＵパワーダウン制御信号１０、無線部パワーダウン制御信号１１、カメラ入力クロック制御信号１４を生成するための３種のタイマーを有している。なお、カメラ入力クロック制御信号１４はアンドゲートＡＮＤの一入力となっており、アンドゲートの他の入力には発振器３からのクロック１３が印加されている。このアンドゲートＡＮＤの出力がカメラ８へのカメラ入力クロック１６となっている。
【００１５】
図１において、ＶＳＹＮＣ１７，２１は垂直同期信号、ＨＳＹＮＣ１８，２２は水平同期信号、ＰＣＬＫ１９，２３はピクセルクロックである。また、ＣＰＵ１から間欠受信制御部４へのイネーブル信号３０は、カメラ入力クロック制御信号１４をイネーブルとするための制御信号である。なお、ＦＩＦＯバッファ６はカメラ８からの入力に対してＬＣＤ表示部９やメモリ５への出力を行う際に必要なタイミング緩衝を行うものである。
【００１６】
また、画像処理部７はカメラ８からの画像データ信号をＬＣＤ表示可能な画像データ信号２４へ変換を行い、またメモリ５へ保存するために画像データ信号１５への変換を行う。ＣＰＵ１がパワーダウン時においても、カメラ８と、ＦＩＦＯバッファ６と、画像処理部７と、ＬＣＤ表示部９とは動作し、カメラ撮像画像データをＬＣＤ表示可能であるものとする。
【００１７】
以下に、図１のブロックの動作を図２のタイミングチャートを用いて説明する。図において、スロットタイミング２５は携帯電話機と図示せぬ基地局との間でやり取りが行われる送受信タイミングを模式的に示したものであり、１スーパフレームは７２０ｍｓの周期を有しており、複数のタイムスロット（以下、単にスロットと称す）からなり、ＲＸは受信スロット、ＩＤＬはアイドルスロット、ＴＸは送信スロットをそれぞれ示している。なお、１スロットは６．６ｍｓである。
【００１８】
待ち受け時に行われる間欠受信モードでは、間欠受信タイミング２６で示すように、スロットタイミング２５の受信スロットにおいて受信同期確立を行った後、次の１スーパフレーム後までの７２０ｍｓの間は間欠モードとなる。この間欠モードでは、消費電力削減のために、間欠受信制御部４によって、ＣＰＵパワーダウン制御信号１０によりＣＰＵ１をパワーダウンすると共に、無線部パワーダウン制御信号１１により無線部２をパワーダウンする。
【００１９】
また、間欠受信制御部４は、１スーパフレーム後のＣＰＵ１をパワーアップするためのタイミングを決めるタイマー２７と、無線部２をパワーアップするためのタイミングを決めるタイマー２８と、カメラ入力クロックの停止タイミングを決めるためのタイマー２９とを動作させる（尚、これ等タイマー２７〜２９については、図１には、特に図示しない。図２のタイミングチャート参照）。
【００２０】
ＣＰＵパワーダウン制御信号１０は、タイマー２７により、間欠受信時の受信スロットを含む前後数スロットの期間イネーブルとされる。また、無線部パワーダウン制御信号１１は、タイマー２８により、間欠受信時の受信スロットを含む前後の数のスロットの期間イネーブルとされるが、この無線部４のパワーアップ期間はＣＰＵ１のパワーアップ期間よりも若干短い期間とされている。
【００２１】
そして、カメラ入力クロック制御信号１４は、ＣＰＵ１により、イネーブル信号３０（図１参照）によって受信スロットの直後にイネーブルとされ、タイマー２９により受信スロットの直前にディセーブルとされるようになっている。こうすることにより、間欠受信モードでの受信スロット期間では、図１のアンドゲートＡＮＤが閉となって、カメラ入力クロック１６を停止させることができるのである。
【００２２】
次に、図３を参照すると、カメラ８から入力される信号のタイミングチャートを示している。カメラ入力クロック１６が停止制御されると、カメラの動作クロックが停止するので、カメラ８から出力されるＶＳＹＮＣ１７、ＨＳＹＮＣ１８、ＰＣＬＫ１９、画像データであるＤＡＴＡ２０も停止することになる。カメラ入力クロック１６の供給が再開すると、上記各信号も出力を再開する。
【００２３】
カメラ８からの画像データはＦＩＦＯバッファ６へ入力される。画像処理部７では、ＦＩＦＯバッファ６の画像データを読出してＬＣＤ９で表示するためのＶＳＹＮＣ２１、ＨＳＹＮＣ２２、ＰＣＬＫ２３、ＤＡＴＡ２４を生成し出力する。以上の動作により、カメラ８により撮影された画像がＬＣＤ９に表示され、またメモリ５へ保存することも可能となる。
【００２４】
ここで、カメラ８から画像データが停止している間のＬＣＤ９へ表示するためには、画像処理部７は、ＦＩＦＯバッファ６のデータを全て読出し空になった場合、最後の画像表示に使用した画像データを連続してＬＣＤ９へ出力する。図３においては、水平ライン２の画像データが連続して表示されるように示している。すなわち、カメラ入力クロック制御信号１４がディセーブルとなって動作クロックが停止することにより、カメラからの画像データがなくなる直前の画像データをＬＣＤ９へ出力するものである。なお、ＦＩＦＯバッファ６が空になったことを検出する方法としては、格納データが空になった場合には、その旨を外部へ知らせるバッファが存在するので、それを用いることができるが、これに限定されない。
【００２５】
カメラ入力クロック１６が停止する期間は、受信スロットの直前から直後までの期間であるが、ある程度その前後に余裕を持たせても良く、その場合でも１０ｍｓ以内で良いために、その間だけ停止画像になっても、人間の目で認識できない時間であり、視認性の低下は生じない。また、上記特許文献１では、表示部のフレームレートは、上記したように、１．３９ｆｐｓ程度であるが、本発明では、より高いフレームレートでの表示が可能であり、動体撮影時の視認性はより向上する。
【００２６】
以上のように、カメラ入力クロック１６を間欠受信のスロット期間に停止するよう制御することにより、カメラ入力クロック１６の他に、ＶＳＹＮＣ１７、ＨＳＹＮＣ１８、ＰＣＬＫ１９、ＤＡＴＡ２０をも全て停止させることができ、受信感度の劣化が生じない上に、カメラ撮像時の視認性の低下も生じないという利点がある。
【００２７】
図４は本発明の他の実施の形態を示すブロック図であり、図１と同等部分は同一符号により示している。図１に示した実施の形態においては、発振器３からの出力クロック１３をアンドゲートＡＮＤで停止制御を行うことによりカメラ入力クロック１６の停止制御をなすようにしているが、発振器３がパワーダウン機能付き若しくはクロック出力停止制御機能付きのものであり、またカメラ８が画像データ信号の出力制御機能付きのものである場合が、本実施の形態である。
【００２８】
間欠受信制御信号部４からのカメラ入力クロック制御信号１４により、発振器３及びカメラ８を共に停止制御するようにすることによって、発振器３からカメラ入力クロック１６が出力されず、またカメラ８からも画像データ信号は出力されない。カメラ８からの画像データ信号のみならず、発振器３からのカメラ入力クロック１６が回路基板上に全く出力されないことになり、先の実施の形態の場合よりも更なる高周波の制御に効果がある。
【００２９】
上記実施の形態においては、カメラ付携帯電話機の例について述べているが、一般的には、カメラ付の携帯型の無線端末であれば、良いものである。
【図面の簡単な説明】
【００３０】
【図１】本発明の一実施の形態を示すブロック図である。
【図２】図１の動作を示すタイミングチャートである。
【図３】図１の動作の詳細を示すタイミングチャートである。
【図４】本発明の他の実施の形態のブロック図である。
【符号の説明】
【００３１】
１  ＣＰＵ
２  無線部
３  発振器
４  間欠受信制御部
５  メモリ
６  ＦＩＦＯバッファ
７  画像処理部
８  カメラ
９  ＬＣＤ表示部
ＡＮＤ  アンドゲート
【図１】
2005045563.tif 000003
【図２】
2005045563.tif 000004
【図３】
2005045563.tif 000005
【図４】
2005045563.tif 000006